(57)【特許請求の範囲】
【請求項１】
外部調節に応答して駆動を制御する制御部と、
前記制御部の制御に従ってバッテリー電圧を駆動電圧に変換するＤＣ／ＤＣコンバータと、
相互並列で連結された第１、第２、第３カラーＬＥＤアレイを含み、前記第１、第２、第３カラーＬＥＤアレイ各々は前記ＤＣ／ＤＣコンバータからの駆動電圧によって動作するカラーＬＥＤバックライトと、
内部発生された鋸歯波電圧とディミング電圧に従って、フィールドシーケンシャル第１、第２、第３カラーＰＷＭ信号を生成するＦＳＣジェネレータと、
前記制御部の制御に従って第１、第２、第３電流を生成し、前記ＦＳＣジェネレータの第１、第２、第３カラーＰＷＭ信号に従って前記カラーＬＥＤバックライトの第１、第２、第３カラーＬＥＤアレイ各々を通じて流れる前記第１、第２、第３駆動電流の流れをオン／オフスイッチングして、前記カラーＬＥＤバックライトの第１、第２、第３カラーＬＥＤアレイの輝度を調節する３チャンネル電流源とを具備し、
前記第１、第２、第３カラーＰＷＭ信号は、相互同一の幅を有し順次に発生される順次信号であり、
前記ＦＳＣジェネレータは、
鋸歯波電圧を生成する鋸歯波生成部と、
前記鋸歯波生成部の鋸歯波電圧と外部からのディミング電圧を比較してＰＷＭ信号を提供する比較部と、
前記ＰＷＭ信号を２分周及び４分周し、この２分周信号と４分周信号を論理演算してフィールドシーケンシャル信号である第１、第２、第３カラーＰＷＭ信号を生成するＦＳＣロジック部と、
を含むことを特徴とするフィールド順次カラーモードの液晶表示装置。
【請求項２】
前記ＦＳＣロジック部は、
前記比較部の出力信号を２分周する第１分周信号を提供する第１の２進カウンタと、
前記第１の２進カウンタの出力信号を２分周して第２分周信号を提供する第２の２進カウンタと、
前記第１及び第２分周信号をインバーティングして第１及び第２反転信号を提供するインバータ部と、
前記第１及び第２反転信号を論理積して第１ロジック信号を提供し、前記第１分周信号と前記第２反転信号を論理積して第２ロジック信号を提供し、前記第１反転信号と前記第２分周信号を論理積して第３ロジック信号を提供し、前記第１及び第２分周信号を論理積して第４ロジック信号を提供する第１アンドゲート部と、
前記第１ロジック信号と前記ＰＷＭ信号を論理積して前記第１カラーＰＷＭ信号を提供し、前記第２ロジック信号と前記ＰＷＭ信号を論理積して前記第２カラーＰＷＭ信号を提供し、前記第３ロジック信号と前記ＰＷＭ信号を論理積して前記第３カラーＰＷＭ信号を提供し、前記第４ロジック信号と前記ＰＷＭ信号を論理積して前記第２カラーＰＷＭ信号を提供する第２アンドゲート部と、
を含むことを特徴とする請求項１に記載のフィールド順次カラーモードの液晶表示装置。
【請求項３】
前記ＦＳＣロジック部は、
前記第２ロジック信号と前記ＰＷＭ信号の論理積による第２カラーＰＷＭ信号と、前記第４ロジック信号と前記ＰＷＭ信号の論理積による第２カラーＰＷＭ信号を論理和するオアゲート部と、をさらに含むことを特徴とする請求項２に記載のフィールド順次カラーモードの液晶表示装置。
【請求項４】
前記第２カラーＬＥＤアレイは、
複数の緑色ＬＥＤから成ることを特徴とする請求項２に記載のフィールド順次カラーモードの液晶表示装置。
【請求項５】
前記ＦＳＣロジック部は、
各周期ごとに、前記第１カラーＰＷＭ信号、前記第２カラーＰＷＭ信号、前記第３カラーＰＷＭ信号及び前記第２カラーＰＷＭ信号を順次供給することを特徴とする請求項４に記載のフィールド順次カラーモードの液晶表示装置。
【請求項６】
前記第１カラーＬＥＤアレイは複数の赤色ＬＥＤから成り、
前記第３カラーＬＥＤアレイは複数の青色ＬＥＤから成ることを特徴とする請求項４に記載のフィールド順次カラーモードの液晶表示装置。
【請求項７】
前記第１カラーＬＥＤアレイは複数の青色ＬＥＤから成り、
前記第３カラーＬＥＤアレイは複数の赤色ＬＥＤから成ることを特徴とする請求項４に記載のフィールド順次カラーモードの液晶表示装置。
【発明の詳細な説明】
【技術分野】
【０００１】
本発明はフィールド順次カラー（ＦＳＣ：Ｆｉｅｌｄ  Ｓｅｑｕｅｎｔｉａｌ  Ｃｏｌｏｒ）モードの液晶表示装置に関することであって、特にフィールド順次駆動方式にバーストモードＰＷＭディミングを適用して輝度効率を向上させ色歪曲を減らすことができ、また色再現性及び解像度を高めることができ、電力消費を減らすことが出来るフィールド順次カラーモードの液晶表示装置に関する。
【背景技術】
【０００２】
一般的に、ＣＲＴブラウン管を採用したディスプレイ装置は、表示領域を大きくするため大型化するにつれ体積も漸次大きくなり、重さも重くなって設置面積が広くなり携帯が困難という短所がある。このような短所によって将来多量の需要が予想されている壁掛け型テレビや、携帯用パソコン等のモニターのような表示装置に適合でない。
【０００３】
このようなＣＲＴブラウン管の短所を克服すべく、同一表示領域のＣＲＴブラウン管と比べ薄くて軽い平板型表示装置が開発されつつある。このような平板型表示装置には液晶表示装置（ＬＣＤ：Ｌｉｑｕｉｄ  Ｃｒｙｓｔａｌ  Ｄｉｓｐｌａｙ）とプラズマディスプレイパネル（ＰＤＰ：Ｐｌａｓｍａ  Ｄｉｓｐｌａｙ  Ｐａｎｅｌ）等がある。
【０００４】
通常、液晶表示装置（ＬＣＤ）は液晶パネル（ＬＣＤ  ｂａｃｋ  ｐａｎｎｅｌ）とバックライトユニット（ＢａｃｋＬｉｇｈｔ  Ｕｎｉｔ、ＢＬＵ）から成る。このようなバックライトユニット（ＢＬＵ）に使用されるランプには主に冷陰極蛍光ランプ（Ｃｏｌｄ  Ｃａｔｈｏｄｅ  Ｆｌｕｏｒｅｓｃｅｎｔ  Ｌａｍｐ；以下、‘ＣＣＦＬ’と称する）が使用される。このようなバックライトユニット（ＢＬＵ）は小型化、薄型化、軽量化の流れにあり、このような流れによってバックライトユニットに使用されるＣＣＦＬの代わりに消費電力、重み、輝度等で有利な発光ダイオード（Ｌｉｇｈｔ  Ｅｍｉｔｔｉｎｇ  Ｄｉｏｄｅ：以下‘ＬＥＤ’と称する）が提案された。
【０００５】
上記ＬＥＤバックライトユニット（ＬＥＤ  ＢＬＵ）は光を生成するホワイトＬＥＤと、このホワイトＬＥＤによる光を案内する光案内板（Ｌｉｇｈｔ  Ｇｕｉｄｅ  Ｐｌａｔｅ）から成り、上記液晶パネル（ＬＣＤ  ｂａｃｋ  ｐａｎｎｅｌ）は、マトリックス形態で配列された多数の液晶（Ｌｉｑｕｉｄ  Ｃｒｙｓｔａｌ）セルと、これら液晶セル各々に供給されるビデオ信号を切り換えるための多数の制御用スイッチ（例えば、Ｒ、Ｇ、ＢスイッチングＴＲ）と、上記液晶セルの上部にＲ、Ｇ、Ｂカラーフィルタが形成されて成る。ここで、Ｒ、Ｇ、ＢスイッチＴＲのベース信号で明るさ（輝度）を調節し、Ｒ、Ｇ、ＢスイッチＴＲの各ドレイン信号の組合せで色相を調節するが、上記ベース信号によって上記液晶セルの配列方向が調節され上記ＬＥＤバックライトユニットによって発生された光の透過量が調節されながら明るさ（輝度）が調節される。
【０００６】
図１は、従来バーストモードの液晶表示装置の構成図である。
図１に図示された従来バーストモードの液晶表示装置は、ホワイトＬＥＤバックライトユニット駆動部１０とホワイトＬＥＤバックライトユニット２０を含む。
【０００７】
上記ホワイトＬＥＤバックライトユニット駆動部１０は、外部調節に応答して駆動を制御する制御部１１と、上記制御部１１の制御に従ってバッテリー電圧（例えば、２．８Ｖ）を駆動電圧（例えば、８Ｖ）に変換するＤＣ／ＤＣコンバータ１２と、内部発生された鋸歯波電圧Ｖｓａｗとディミング電圧Ｖｄｉｍに従って輝度調節用ＰＷＭ信号Ｓｐｗｍを生成するバーストモードディミング部１３と、上記制御部１１の制御に従って駆動電流を生成し、上記バーストモードディミング部１３のＰＷＭ信号によって電流の流れがオン／オフされる電流源１４を含む。
【０００８】
上記ホワイトＬＥＤバックライトユニット２０は、複数のホワイトＬＥＤを含むＬＥＤアレイを有する。
【０００９】
図２は、図１のバーストモードディミング部１３の主要信号の波形図である。
図２において、上記鋸歯波電圧Ｖｓａｗとディミング電圧Ｖｄｉｍとを比較して上記ディミング電圧Ｖｄｉｍが低い区間で上記ＰＷＭ信号Ｓｐｗｍはハイレベルを維持し、上記ディミング電圧Ｖｄｉｍが高い区間で上記ＰＷＭ信号Ｓｐｗｍはローレベルを維持する。
【００１０】
このように、上記ディミング電圧Ｖｄｉｍを調節すると上記ＰＷＭ信号Ｓｐｗｍのデューティを調節でき、上記ＰＷＭ信号Ｓｐｗｍのデューティ比調節を通じて上記ホワイトＬＥＤバックライトユニット２０に流れる電流通電（ターンオン）時間が調節出来るため、上記ホワイトＬＥＤバックライトユニット２０の光度を調節することが出来る。
【００１１】
しかし、このような従来バーストモードの液晶表示装置は、ホワイトＬＥＤの駆動用として具現されフィールドシーケンシャル（Ｆｉｅｌｄ  Ｓｅｑｕｅｎｔｉａｌ）駆動が不可能という問題点がある。
【００１２】
また、このような従来バーストモードを用いる液晶表示装置では、Ｒ、Ｇ、Ｂのカラーフィルタを使用すべきであるため、構造が複雑であると同時に解像度が低くなり、ホワイトＬＥＤを用いるためカラーＬＥＤを用いるものと比べ色再現性が衰えるという問題点がある。
【００１３】
さらに、従来液晶表示装置では、カラーフィルタによる輝度減少及び色歪曲が引き起こされる問題点がある。
【発明の開示】
【発明が解決しようとする課題】
【００１４】
本発明は上記の問題点を解決するため提案されたものであり、その目的は、フィールド順次駆動方式にバーストモードＰＷＭディミングを適用して輝度効率を向上させ色歪曲を減らすことができ、また色再現性及び解像度を高めることができ、電力消費を減らすことが出来るフィールド順次カラーモードの液晶表示装置を提供することにある。
【課題を解決するための手段】
【００１５】
上記の本発明の目的を達成すべく、本発明のフィールド順次カラーモードの液晶表示装置は、外部調節に応答して駆動を制御する制御部と、上記制御部の制御に従ってバッテリー電圧を駆動電圧に変換するＤＣ／ＤＣコンバータと、相互並列で連結された第１、第２、第３カラーＬＥＤアレイとを含み、上記第１、第２、第３カラーＬＥＤアレイ各々は上記ＤＣ／ＤＣコンバータからの駆動電圧によって動作するカラーＬＥＤバックライトと、内部発生された鋸歯波電圧とディミング電圧に従って、フィールドシーケンシャル第１、第２、第３カラーＰＷＭ信号を生成するＦＳＣジェネレータと、上記制御部の制御に従って第１、第２、第３駆動電流を生成し、上記ＦＳＣジェネレータの第１、第２、第３カラーＰＷＭ信号に従って上記カラーＬＥＤバックライトの第１、第２、第３カラーＬＥＤアレイ各々を通じて流れる上記第１、第２、第３駆動電流の流れをオン／オフスイッチングして、上記カラーＬＥＤバックライトの第１、第２、第３カラーＬＥＤアレイの輝度を調節する３チャネル電流源と、を含むことを特徴とする。
【００１６】
上記第１、第２、第３カラーＰＷＭ信号は、相互同一の幅を有し順次に発生される順次信号であることを特徴とする。
【００１７】
上記ＦＳＣジェネレータは、鋸歯波電圧を生成する鋸歯波生成部と、上記鋸歯波生成部の鋸歯波電圧と外部からのディミング電圧を比較してＰＷＭ信号を提供する比較部と、上記ＰＷＭ信号を２分周及び４分周し、この２分周信号と４分周信号を論理演算してフィールドシーケンシャル信号である第１、第２、第３カラーＰＷＭ信号を生成するＦＳＣロジック部と、を含むことを特徴とする。
【００１８】
上記ＦＳＣロジック部は、上記比較部の出力信号を２分周する第１分周信号を提供する第１の２進カウンタと、上記第１の２進カウンタの出力信号を２分周して第２分周信号を提供する第２の２進カウンタと、上記第１及び第２分周信号をインバーティングして第１及び第２反転信号を提供するインバータ部と、上記第１及び第２反転信号を論理積して第１ロジック信号を提供し、上記第１分周信号と上記第２反転信号を論理積して第２ロジック信号を提供し、上記第１反転信号と上記第２分周信号を論理積して第３ロジック信号を提供し、上記第１及び第２分周信号を論理積して第４ロジック信号を提供する第１アンドゲート部と、上記第１ロジック信号と上記ＰＷＭ信号を論理積して上記第１カラーＰＷＭ信号を提供し、上記第２ロジック信号と上記ＰＷＭ信号を論理積して上記第２カラーＰＷＭ信号を提供し、上記第３ロジック信号と上記ＰＷＭ信号を論理積して上記第３カラーＰＷＭ信号を提供し、上記第４ロジック信号と上記ＰＷＭ信号を論理積して上記第２カラーＰＷＭ信号を提供する第２アンドゲート部と、を含むことを特徴とする。
【００１９】
上記ＦＳＣロジック部は、上記第２ロジック信号と上記ＰＷＭ信号の論理積による第２カラーＰＷＭ信号と、上記第４ロジック信号と上記ＰＷＭ信号の論理積による第２カラーＰＷＭ信号を論理和するオアゲート部と、をさらに含むことを特徴とする。
【００２０】
上記第２カラーＬＥＤアレイは、複数の緑色ＬＥＤから成ることを特徴とする。
【００２１】
上記ＦＳＣロジック部は、各周期ごとに、上記第１カラーＰＷＭ信号、上記第２カラーＰＷＭ信号、上記第３カラーＰＷＭ信号及び上記第２カラーＰＷＭ信号を順次供給することを特徴とする。
【００２２】
上記第１カラーＬＥＤアレイは複数の赤色ＬＥＤから成り、上記第３カラーＬＥＤアレイは複数の青色ＬＥＤから成ることを特徴とする。
【００２３】
上記第１カラーＬＥＤアレイは複数の青色ＬＥＤから成り、上記第３カラーＬＥＤアレイは複数の赤色ＬＥＤから成ることを特徴とする。
【発明の効果】
【００２４】
本発明によると、フィールド順次駆動方式にバーストモードＰＷＭディミングを適用して輝度効率を向上させ色歪曲を減らすことができ、また色再現性及び解像度を高めることができ、電力消費を減らすことが出来る効果がある。
【００２５】
即ち、フィールドシーケンシャル（Ｆｉｅｌｄ  Ｓｅｑｕｅｎｔｉａｌ）駆動が可能な赤色−緑色−青色−緑色の順次信号を発生してフィールドシーケンシャル（Ｆｉｅｌｄ  Ｓｅｑｕｅｎｔｉａｌ）を具現することができ、各々の順次信号をディミング信号を使用してデューティ調節が可能なためバーストモードＰＷＭディミング（Ｂｕｒｓｔ  Ｍｏｄｅ  ＰＷＭ  Ｄｉｍｍｉｎｇ）機能を具現することができ、最終的にフィールドシーケンシャル（Ｆｉｅｌｄ  Ｓｅｑｕｅｎｔｉａｌ）駆動とバーストモードＰＷＭディミング（Ｂｕｒｓｔ  Ｍｏｄｅ  ＰＷＭ  Ｄｉｍｍｉｎｇ）機能を同時具現してカラーＬＥＤバックライト方式のＴＦＴ  ＬＣＤのフィールドシーケンシャル駆動を可能とした。
【００２６】
これによって、ＴＦＴ  ＬＣＤのカラーフィルタを除去することが可能となり、カラーフィルタによる輝度減少及び色歪曲を除去することができ、ピクセルの大きさを既存方式のＴＦＴ  ＬＣＤと比較して１／３水準に小さくして画素を大きくすることができ、カラーＲ、Ｇ、Ｂ光源を個別使用して、色再現性を高めることができ、Ｒ、Ｇ、Ｂ  ＬＥＤを時分割して駆動するため電力消費量を低めることが出来るという効果がある。
【発明を実施するための最良の形態】
【００２７】
以下、本発明の好ましい実施例を添付の図面を参照して詳細に説明する。本発明に参照された図面で実質的に同一の構成と機能を有している構成要素は同一の符号を使用する。
【００２８】
図３は、本発明によるフィールド順次カラー（ＦＳＣ）モードの液晶表示装置の構成図である。
【００２９】
図３を参照すると、本発明によるフィールド順次カラー（ＦＳＣ）モードの液晶表示装置は、制御部１００と、ＤＣ／ＤＣコンバータ２００と、カラーＬＥＤバックライト３００と、ＦＳＣジェネレータ４００と、３チャネル電流源５００と、を含む。
【００３０】
上記制御部１００は、外部調節に応答して上記ＤＣ／ＤＣコンバータ２００及び３チャネル電流源５００による上記カラーＬＥＤバックライト３００の駆動を制御する。
【００３１】
上記ＤＣ／ＤＣコンバータ２００は、上記制御部１００の制御に従ってバッテリー電圧を上記カラーＬＥＤバックライト３００の駆動に適した駆動電圧ＶＤに変換する。
【００３２】
上記カラーＬＥＤバックライト３００は、相互並列で連結された第１、第２、第３カラーＬＥＤアレイＬＡ１、ＬＡ２、ＬＡ３を含み、互いに並列に接続された上記第１、第２、第３カラーＬＥＤアレイＬＡ１、ＬＡ２、ＬＡ３各々は上記ＤＣ／ＤＣコンバータ２００からの駆動電圧ＶＤによって動作する。
【００３３】
上記ＦＳＣジェネレータ４００は、内部発生された鋸歯波電圧Ｖｓａｗとディミング電圧Ｖｄｉｍに従って、フィールドシーケンシャル第１、第２、第３カラーＰＷＭ信号ＳＰ１、ＳＰ２、ＳＰ３を生成する。ここで、上記第１、第２、第３カラーＰＷＭ信号ＳＰ１、ＳＰ２、ＳＰ３は、相互同一の幅を有し順次に発生される順次信号に設定される。
【００３４】
上記３チャネル電流源５００は、上記制御部１００の制御に従って第１、第２、第３駆動電流Ｉｒｄ、Ｉｇｄ、Ｉｂｄを生成し、上記ＦＳＣジェネレータ４００の生成する第１、第２、第３カラーＰＷＭ信号ＳＰ１、ＳＰ２、ＳＰ３に従って上記カラーＬＥＤバックライト３００に含まれる第１、第２、第３カラーＬＥＤアレイＬＡ１、ＬＡ２、ＬＡ３各々を通じて流れる上記第１、第２、第３駆動電流の流れをオン／オフスイッチングして、上記カラーＬＥＤバックライト３００の第１、第２、第３カラーＬＥＤアレイＬＡ１、ＬＡ２、ＬＡ３の輝度を調節する。
【００３５】
図４は、図３のＦＳＣジェネレータの構成図である。
図４を参照すると、上記ＦＳＣジェネレータ４００は、鋸歯波電圧Ｖｓａｗを生成する鋸歯波生成部４１０と、上記鋸歯波生成部４１０の鋸歯波電圧Ｖｓａｗと外部からのディミング電圧Ｖｄｉｍを比較してＰＷＭ信号ｓｐｗｍを提供する比較部４２０と、上記ＰＷＭ信号Ｓｐｗｍを２分周及び４分周し、この２分周信号と４分周信号を論理演算してフィールドシーケンシャル信号である第１、第２、第３カラーＰＷＭ信号ＳＰ１、ＳＰ２、ＳＰ３を生成するＦＳＣロジック部４３０を含む。
【００３６】
上記ＦＳＣロジック部４３０は、上記比較部４２０の出力信号を２分周して第１分周信号ＳＤ１を提供する第１の２進カウンタ４３１と、上記第１の２進カウンタ４３１の出力信号を２分周して第２分周信号ＳＤ２を提供する第２の２進カウンタ４３２と、上記第１及び第２分周信号ＳＤ１、ＳＤ２をインバーティングして第１及び第２反転信号ＳＩ１、ＳＩ２を提供するインバータ部４３３と、上記第１、第２分周信号ＳＤ１、ＳＤ２と第１、第２反転信号ＳＩ１、ＳＩ２を用いて第１乃至第４ロジック信号Ｓ１〜Ｓ４を提供する第１アンドゲート部４３４と、上記第１乃至第４ロジック信号Ｓ１〜Ｓ４及び上記ＰＷＭ信号Ｓｐｗｍを用いて上記第１、第２及び第３カラーＰＷＭ信号ＳＰ１、ＳＰ２、ＳＰ３を提供する第２アンドゲート部４３５を含む。
【００３７】
上記第１アンドゲート部４３４は、上記第１及び第２反転信号ＳＩ１、ＳＩ２を論理積して第１ロジック信号Ｓ１を提供する第１アンドゲートＡＮＤ１と、上記第１分周信号ＳＤ１と上記第２反転信号ＳＩ２を論理積して第２ロジック信号Ｓ２を提供する第２アンドゲートＡＮＤ２と、上記第１反転信号ＳＩ１と上記第２分周信号ＳＤ２を論理積して第３ロジック信号Ｓ３を提供する第３アンドゲートＡＮＤ３と、上記第１及び第２分周信号ＳＤ１、ＳＤ２を論理積して第４ロジック信号Ｓ４を提供する第４アンドゲートＡＮＤ４を含む。
【００３８】
上記第２アンドゲート部４３５は、上記第１ロジック信号Ｓ１と上記ＰＷＭ信号Ｓｐｗｍを論理積して上記第１カラーＰＷＭ信号ＳＰ１を提供する第５アンドゲートＡＮＤ５と、上記第２ロジック信号Ｓ２と上記ＰＷＭ信号Ｓｐｗｍを論理積して上記第２カラーＰＷＭ信号ＳＰ２を提供する第６アンドゲートＡＮＤ６と、上記第３ロジック信号Ｓ３と上記ＰＷＭ信号Ｓｐｗｍを論理積して上記第３カラーＰＷＭ信号ＳＰ３を提供する第７アンドゲートＡＮＤ７と、上記第４ロジック信号Ｓ４と上記ＰＷＭ信号Ｓｐｗｍを論理積して上記第２カラーＰＷＭ信号ＳＰ２を提供する第８アンドゲートＡＮＤ８を含む。
【００３９】
また、上記ＦＳＣロジック部４３０は、上記第２ロジック信号Ｓ２と上記ＰＷＭ信号Ｓｐｗｍの論理積による第２カラーＰＷＭ信号ＳＰ２と、上記第４ロジック信号Ｓ４と上記ＰＷＭ信号Ｓｐｗｍの論理積による第２カラーＰＷＭ信号ＳＰ２を論理和するオアゲート部４３６をさらに含む。
【００４０】
上記第２カラーＬＥＤアレイＬＡ２は、複数の緑色ＬＥＤから成る場合、上記ＦＳＣロジック部４３０は、各周期ごとに、上記第１カラーＰＷＭ信号ＳＰ１、上記第２カラーＰＷＭ信号ＳＰ２、上記第３カラーＰＷＭ信号ＳＰ３及び上記第２カラーＰＷＭ信号ＳＰ２を順次供給することが出来る。
【００４１】
また、上記第１カラーＬＥＤアレイＬＡ１は複数の赤色ＬＥＤから成り、上記第３カラーＬＥＤアレイＬＡ３は複数の青色ＬＥＤから成ることが出来る。
【００４２】
または、上記第１カラーＬＥＤアレイＬＡ１は複数の青色ＬＥＤから成り、上記第３カラーＬＥＤアレイＬＡ３は複数の赤色ＬＥＤから成ることが出来る。
【００４３】
図５は、図３の３チャネル電流源の構成図である。
図５を参照すると、上記３チャネル電流源５００は、上記カラーＬＥＤバックライト３００の各ＬＥＤアレイと接地との間に連結され、上記制御部１００の制御ＳＩＣ１、ＳＩＣ２、ＳＩＣ３に従って第１、第２、第３駆動電流Ｉｒｄ、Ｉｇｄ、Ｉｂｄを生成する第１、第２、第３電流源ＩＳ１、ＩＳ２、ＩＳ３と、上記第１、第２、第３電流源ＩＳ１、ＩＳ２、ＩＳ３と上記カラーＬＥＤバックライト３００との間の電流パスに連結され、上記第１、第２、第３カラーＰＷＭ信号ＳＰ１、ＳＰ２、ＳＰ３によってオンまたはオフされるスイッチＳＷ１、ＳＷ２、ＳＷ３を含む。
【００４４】
図６は、図３に図示されたＦＳＣジェネレータの主要信号の波形図である。
図６において、ＶｓａｗはＶｓａｗジェネレータ４１０から生成される鋸歯波電圧で、ｄｉｍは外部での輝度調節に該当するディミング電圧で、Ｓｐｗｍは比較部４２０からのＰＷＭ信号で、ＳＤ１、ＳＤ２は上記第１、第２の２進カウンタ４３１、４３２から出力される第１、第２分周信号で、Ｓ１乃至Ｓ４は上記第１アンドゲート部４３４から出力される第１乃至第４ロジック信号で、ＳＰ１、ＳＰ２、ＳＰ３は上記ＦＳＣロジック部４３０から出力される第１、第２、第３カラーＰＷＭ信号である。
【００４５】
以下、本発明の作用及び効果を添付の図面により詳細に説明する。
図３乃至図６を参照して本発明のフィールド順次カラーモードの液晶表示装置の動作を説明する。
【００４６】
先ず、図３を参照すると、本発明の液晶表示装置において、制御部１００は、使用者等による外部の輝度調節に応答して上記ＤＣ／ＤＣコンバータ２００での駆動電圧変換を制御し、３チャネル電流源５００での駆動電流調節を制御する。
【００４７】
上記ＤＣ／ＤＣコンバータ２００は、上記制御部１００の制御に従って略１．８Ｖ程度の低いバッテリー電圧を上記カラーＬＥＤバックライト３００の駆動に適した略８Ｖ程度の高い駆動電圧ＶＤに変換してカラーＬＥＤバックライト３００に供給する。
【００４８】
この際、上記カラーＬＥＤバックライト３００は、上記ＤＣ／ＤＣコンバータ２００から駆動電圧ＶＤの供給を受けて動作するが、これについてさらに詳細に説明すると、上記カラーＬＥＤバックライト３００の第１、第２、第３カラーＬＥＤアレイＬＡ１、ＬＡ２、ＬＡ３各々は上記ＤＣ／ＤＣコンバータ２００からの駆動電圧ＶＤによる駆動電流Ｉｒｄ、Ｉｇｄ、Ｉｂｄによって動作される。即ち、上記第１カラーＬＥＤアレイＬＡ１は上記駆動電流Ｉｒｄによって動作され、上記第２カラーＬＥＤアレイＬＡ２は上記駆動電流Ｉｇｄによって動作され、上記第３カラーＬＥＤアレイＬＡ３は上記駆動電流Ｉｂｄによって動作される。
【００４９】
このような動作過程中に、上記第１、第２、第３カラーＬＥＤアレイＬＡ１、ＬＡ２、ＬＡ３へ流れる電流は、ＦＳＣジェネレータ４００によって制御される。上記ＦＳＣジェネレータ４００は、内部発生された鋸歯波電圧Ｖｓａｗとディミング電圧Ｖｄｉｍに従って、フィールドシーケンシャル第１、第２、第３カラーＰＷＭ信号ＳＰ１、ＳＰ２、ＳＰ３を生成して３チャネル電流源５００に出力して、上記３チャネル電流源５００を通じて上記第１、第２、第３カラーＬＥＤアレイＬＡ１、ＬＡ２、ＬＡ３各々の輝度を制御する。
【００５０】
ここで、上記第１、第２、第３カラーＰＷＭ信号ＳＰ１、ＳＰ２、ＳＰ３は、 互いに同一の幅を有し順次に発生される順次信号である。
【００５１】
次に、上記３チャネル電流源５００は、上記制御部１００の制御に従って、接地側に連結され第１、第２、第３駆動電流を生成する第１、第２、第３電流源ＩＳ１、ＩＳ２、ＩＳ３を含むが、ここで、上記第１、第２、第３駆動電流は上記第１、第２、第３カラーＬＥＤアレイＬＡ１、ＬＡ２、ＬＡ３各々に流れる駆動電流Ｉｒｄ、Ｉｇｄ、Ｉｂｄに該当する。
【００５２】
図５を参照すると、上記ＦＳＣジェネレータ４００から出力される第１カラーＰＷＭ信号ＳＰ１に従って、上記カラーＬＥＤバックライト３００の第１カラーＬＥＤアレイＬＡ１と上記第１電流源ＩＳ１は連結もしくは分離される。上記ＦＳＣジェネレータ４００の第２カラーＰＷＭ信号ＳＰ２に従って、上記カラーＬＥＤバックライト３００の第２カラーＬＥＤアレイＬＡ２と上記第２電流源ＩＳ２は連結もしくは分離される。そして、上記ＦＳＣジェネレータ４００の第３カラーＰＷＭ信号ＳＰ３に従って、上記カラーＬＥＤバックライト３００の第３カラーＬＥＤアレイＬＡ３と上記第３電流源ＩＳ３は連結もしくは分離される。
【００５３】
これによって、上記第１、第２、第３カラーＰＷＭ信号ＳＰ１、ＳＰ２、ＳＰ３によって、上記第１、第２、第３カラーＬＥＤアレイＬＡ１、ＬＡ２、ＬＡ３各々の輝度が調節される。
【００５４】
以下、図４を参照に上記ＦＳＣジェネレータ４００について詳細に説明する。
図４を参照すると、上記ＦＳＣジェネレータ４００の鋸歯波生成部４１０は、図６に図示した通り、既設定された周波数を有する鋸歯波電圧Ｖｓａｗを生成して比較部４２０へ出力すると、上記比較部４２０は、上記鋸歯波電圧Ｖｓａｗと図６に図示した通り、外部からのディミング電圧Ｖｄｉｍを比較してＰＷＭ信号を提供する。
【００５５】
例えば、比較部４２０は、図６に図示したように上記鋸歯波電圧Ｖｓａｗがディミング電圧Ｖｄｉｍ以上であるとハイレベルのＰＷＭ信号ｓｐｗｍを出力し、上記鋸歯波電圧Ｖｓａｗがディミング電圧Ｖｄｉｍより低いとローレベルのＰＷＭ信号ｓｐｗｍを出力し、このようにハイレベルとローレベルを有するＰＷＭ信号ｓｐｗｍは図４に図示した通りＦＳＣロジック部４３０に入力される。
【００５６】
以後、上記ＦＳＣロジック部４３０は、上記ＰＷＭ信号Ｓｐｗｍを２分周及び４分周し、この２分周信号と４分周信号を論理演算してフィールドシーケンシャル信号である第１、第２、第３カラーＰＷＭ信号ＳＰ１、ＳＰ２、ＳＰ３を生成して上記３チャネル電流源５００へ出力する。
【００５７】
また、上記ＦＳＣロジック部４３０について図４を参照に説明する。
図４を参照すると、上記ＦＳＣロジック部４３０は、第１の２進カウンタ４３１、第２の２進カウンタ４３２、インバータ部４３３、第１アンドゲート部４３４、第２アンドゲート部４３５及びオアゲート部４３６を含むことが出来る。
【００５８】
この場合、上記第１の２進カウンタ４３１は、上記比較部４２０の出力信号を２分周して第１分周信号ＳＤ１を図６に図示した通り提供し、上記第２の２進カウンタ４３２は上記第１の２進カウンタ４３１の出力信号を２分周して図６に図示した通り第２分周信号ＳＤ２を提供する。また、上記インバータ部４３３は上記第１及び第２分周信号ＳＤ１、ＳＤ２をインバーティングして第１及び第２反転信号ＳＩ１、ＳＩ２を提供する。
【００５９】
次いで、上記第１アンドゲート部４３４は、上記第１、第２分周信号ＳＤ１、ＳＤ２と第１、第２反転信号ＳＩ１、ＳＩ２を用いて第１乃至第４ロジック信号Ｓ１〜Ｓ４を提供し、上記第２アンドゲート部４３５は上記第１乃至第４ロジック信号Ｓ１〜Ｓ４及び上記ＰＷＭ信号Ｓｐｗｍを用いて上記第１、第２及び第３カラーＰＷＭ信号ＳＰ１、ＳＰ２、ＳＰ３を提供する。
【００６０】
一方、本発明のカラーＬＥＤバックライト３００に含まれた第１、第２、第３カラーＬＥＤアレイＬＡ１、ＬＡ２、ＬＡ３のうち上記第２カラーＬＥＤアレイＬＡ２が複数の緑色ＬＥＤから成る場合、上記第１カラーＬＥＤアレイＬＡ１は複数の赤色ＬＥＤから成り、上記第３カラーＬＥＤアレイＬＡ３は複数の青色ＬＥＤから成ることが出来る。
【００６１】
この場合、上記第１カラーＰＷＭ信号ＳＰ１は赤色ＬＥＤの輝度を制御する信号で、上記第２カラーＰＷＭ信号ＳＰ２は、緑色ＬＥＤの輝度を制御する信号で、この場合、上記第３カラーＰＷＭ信号ＳＰ３は、青色ＬＥＤの輝度を制御する信号である。
【００６２】
これに対して、上記第２カラーＬＥＤアレイＬＡ２が複数の緑色ＬＥＤから成る場合に、上記第１カラーＬＥＤアレイＬＡ１は複数の青色ＬＥＤから成り、上記第３カラーＬＥＤアレイＬＡ３は複数の赤色ＬＥＤから成ることが出来る。
【００６３】
上記第１アンドゲート部４３４に対する一具現例を説明する。
上記第１アンドゲート部４３４は、第１アンドゲートＡＮＤ１、第２アンドゲートＡＮＤ２、第３アンドゲートＡＮＤ３及び第４アンドゲートＡＮＤ４を含む。
【００６４】
この際、上記第１アンドゲートＡＮＤ１は、上記第１及び第２反転信号ＳＩ１、ＳＩ２を論理積して第１ロジック信号Ｓ１を提供し、上記第２アンドゲートＡＮＤ２は、上記第１分周信号ＳＤ１と上記第２反転信号ＳＩ２を論理積して第２ロジック信号Ｓ２を提供し、上記第３アンドゲートＡＮＤ３は上記第１反転信号ＳＩ１と上記第２分周信号ＳＤ２を論理積して第３ロジック信号Ｓ３を提供し、上記第４アンドゲートＡＮＤ４は、上記第１及び第２分周信号ＳＤ１、ＳＤ２を論理積して第４ロジック信号Ｓ４を提供する。
【００６５】
図６を参照すると、上記第１、第２、第３及び第４ロジック信号Ｓ１、Ｓ２、Ｓ３、Ｓ４は、図６に図示した通り相互にオーバーラップされないハイレベルを順次に有する順次信号となる。
【００６６】
上記第２アンドゲート部４３５に対する一具現例を説明する。
上記第２アンドゲート部４３５は、第５アンドゲートＡＮＤ５、第６アンドゲートＡＮＤ６、第７アンドゲートＡＮＤ７及び第８アンドゲートＡＮＤ８を含む。
【００６７】
この際、上記第５アンドゲートＡＮＤ５は、上記第１ロジック信号Ｓ１と上記ＰＷＭ信号Ｓｐｗｍを論理積して上記第１カラーＰＷＭ信号ＳＰ１を提供し、上記第６アンドゲートＡＮＤ６は、上記第２ロジック信号Ｓ２と上記ＰＷＭ信号Ｓｐｗｍを論理積して上記第２カラーＰＷＭ信号ＳＰ２を提供し、上記第７アンドゲートＡＮＤ７は上記第３ロジック信号Ｓ３と上記ＰＷＭ信号Ｓｐｗｍを論理積して上記第３カラーＰＷＭ信号ＳＰ３を提供し、上記第８アンドゲートＡＮＤ８は、上記第４ロジック信号Ｓ４と上記ＰＷＭ信号Ｓｐｗｍを論理積して上記第２カラーＰＷＭ信号ＳＰ２を提供する。
【００６８】
また、上記オアゲート部４３６は、上記第２ロジック信号Ｓ２と上記ＰＷＭ信号Ｓｐｗｍの論理積による第２カラーＰＷＭ信号ＳＰ２と、上記第４ロジック信号Ｓ４と上記ＰＷＭ信号Ｓｐｗｍとの論理積による第２カラーＰＷＭ信号ＳＰ２を論理和する。
【００６９】
図６を参照すると、上記第１、第２、第３及び第４ロジック信号Ｓ１、Ｓ２、Ｓ３、Ｓ４のハイレベルが上記ＰＷＭ信号Ｓｐｗｍの順次の相互異なるパルスに同期して第１カラーＰＷＭ信号ＳＰ１、第２カラーＰＷＭ信号ＳＰ２、第３カラーＰＷＭ信号ＳＰ３及び第２カラーＰＷＭ信号ＳＰ２が一周期内で順次にハイレベルを有することとなり、これによって、上記第１カラーＰＷＭ信号ＳＰ１、第２カラーＰＷＭ信号ＳＰ２、第３カラーＰＷＭ信号ＳＰ３及び第２カラーＰＷＭ信号ＳＰ２は、フィールドシーケンシャルカラー（Ｆｉｅｌｄ  Ｓｅｑｕｅｎｔｉａｌ  Ｃｏｌｏｒ）モードのフィールド順次信号と成る。
【００７０】
前述の通り、上記第２カラーＰＷＭ信号ＳＰ２が緑色ＬＥＤのＰＷＭ信号である場合、一周期に緑色ＬＥＤの点灯が２回と他のカラーＬＥＤより１回多く点灯される理由は、上記緑色ＬＥＤが他の色相の赤色ＬＥＤや青色ＬＥＤと比べ色感が衰えるからである。
【００７１】
このように、赤色ＬＥＤ、緑色ＬＥＤ及び青色ＬＥＤを順次に点灯させるＦＳＣ駆動方式において、各カラーＬＥＤの点灯時間を同一のＰＷＭ幅にし、一周期内で色感が衰える緑色ＬＥＤの点灯回数を相対的に多くして色再現性を向上させることが出来る。
【００７２】
前述のような本発明は、フィールド順次カラー（ＦＳＣ）モードの液晶表示装置に適用されるＦＳＣジェネレータを簡単に具現し、またＦＳＣ駆動方式にバーストモード駆動方式を組み合せて各駆動方式の長所を取ることが可能となった。
【００７３】
以上の本発明は、前述の実施例及び添付の図面によって限定されず特許請求範囲によって限定され、本発明の装置は本発明の技術的思想を外れない範囲内で様々な置換、変形及び変更が可能であることを本発明が属する技術分野において通常の知識を有している者において明らかである。
【図面の簡単な説明】
【００７４】
【図１】従来バーストモードの液晶表示装置の構成図である。
【図２】図１のバーストモードディミング部の主要信号の波形図である。
【図３】本発明によるフィールド順次カラー（ＦＳＣ）モードの液晶表示装置の構成図である。
【図４】図３のＦＳＣジェネレータの構成図である。
【図５】図３の３チャネル電流源の構成図である。
【図６】図３に図示されたＦＳＣジェネレータの主要信号の波形図である。
【符号の説明】
【００７５】
１００  制御部
２００  ＤＣ／ＤＣコンバータ
３００  カラーＬＥＤバックライト
４００  ＦＳＣジェネレータ
４１０  鋸歯波生成部
４２０  比較部
４３０  ＦＳＣロジック部
４３１  第１の２進カウンタ
４３２  第２の２進カウンタ
４３３  インバータ部
４３４  第１アンドゲート部
４３５  第２アンドゲート部
４３６  オアゲート部
５００  ３チャネル電流源
ＬＡ１〜ＬＡ３  第１〜第３カラーＬＥＤアレイ
Ｖｓａｗ  鋸歯波電圧
Ｖｄｉｍ  ディミング電圧
ＳＰ１〜ＳＰ３  第１〜第３カラーＰＷＭ信号
ＳＤ１、ＳＤ２  第１、第２分周信号
ＳＩ１、ＳＩ２  第１及び第２反転信号
Ｓ１〜Ｓ４  第１〜第４ロジック信号
【図１】
0004588013.tif 000002
【図２】
0004588013.tif 000003
【図３】
0004588013.tif 000004
【図４】
0004588013.tif 000005
【図５】
0004588013.tif 000006
【図６】
0004588013.tif 000007